(57)【要約】【課題】気化式の消臭装置において、内部に取り込んだ空気を長時間に亘り装置内部に留めることで、より確実に消臭可能とする消臭装置を提供すること。【解決手段】隔壁３によって内部空間２０１が上部空間２０２と下部空間２０３とに分断されるとともに天井部には排気口２０５が形成され下部空間２０３の側壁には吸気口２０４が形成された筐体２と、隔壁３に形成した通気孔３０１を閉鎖する配置で上部空間２０２内に配設された複数個のファン４と、下部空間２０３に挿装された、内部に消臭用溶剤が貯留される水槽５と、下方部分が水槽５の内部に位置するとともに吸気口２０４を閉鎖する配置で水槽５内に配設された気化シート６を具備した消臭装置であって、ファン４の１個を、排気面を斜め上方に向けて配置し、それによりファンから排気された空気を内部で撹拌し、筐体内の空気を長時間に亘り溶剤の雰囲気内に留めてより確実に消臭可能とした。【選択図】図２
2010148675.tif 000002
【特許請求の範囲】
【請求項１】
隔壁（３）によって内部空間（２０１）が上部空間（２０２）と下部空間（２０３）とに分断されるとともに、天井部には排気口（２０５）が形成され、下部空間（２０３）の側壁には吸気口（２０４）が形成された筐体（２）と、
前記隔壁（３）に形成した通気孔（３０１）を閉鎖する配置で前記筐体（２）の上部空間（２０２）内に配設された複数個のファン（４）と、
前記筐体（２）の下部空間（２０３）に挿装された、内部に消臭用溶剤が貯留される水槽（５）と、
下方部分が前記水槽（５）の内部に位置するとともに、前記吸気口（２０４）を閉鎖する配置で、前記水槽（５）内に配設された気化シート（６）と、を具備した消臭装置であって、
前記ファン（４）は、少なくとも１個を、排気面を斜め上方に向けたことを特徴とする消臭装置。
【請求項２】
前記水槽（５）を、前記筐体（２）内に挿抜自在に挿装したことを特徴とする請求項１に記載の消臭装置。
【請求項３】
前記吸気口（２０４）のすべてあるいはいずれかを閉鎖可能なスライド板（９）を前記筐体（２）の内部にスライド自在に配設したことを特徴とする請求項１又は請求項２に記載の消臭装置。
【発明の詳細な説明】
【技術分野】
【０００１】
本発明は消臭装置に係り、より詳しくは、特に焼肉店等の飲食店における店内や厨房内の消臭に用いる消臭装置において、内部に取り込んだ汚れた外気をより確実に消臭可能とした消臭装置に関する。
【背景技術】
【０００２】
従来、特に焼肉点等の飲食店においては、店内や厨房内に漂う臭いを無くするために消臭装置を用いることが行われている。
【０００３】
ここで、従来から用いられている消臭装置としては、香料によりマスキングする方法を採用したものや、活性炭等を用いて臭いを吸収する方法を採用したものが存在するが、その他、近年になり、消臭用溶剤を用いて、この消臭用溶剤を気化シートに浸透させるとともに、この気化シートに臭いを伴った外気を通過させて消臭する方法を採用した気化式の消臭装置が提案されている。
【０００４】
図７は、この従来の消臭装置３１の構成を示した一部縦断正面図であり、この従来の消臭装置３１ではハウジング３２を有しており、このハウジング３２は、内部に消臭用溶剤を蓄えたタンク３７を収納し、ハウジング３２の底部に前記タンク３７の下部より消臭用溶剤を供給し、これによりハウジング３２は、底部に消臭用溶剤を貯留させることが可能となっている。
【０００５】
また、前記ハウジング３２は、その側壁に吸気口３３が形成されるとともに、上部には排気口３４が形成され、更に、排気口３４の下方にはファン３５が配設されており、ファン３５を駆動することで、前記吸気口３３を介して外部の空気をハウジング３２内に取り込むとともに、排気口３４を介して内部の空気を排気可能としている。
【０００６】
また、前記ハウジング３２内には気化シート３６が配設されており、この気化シート３６は、下方部分が、ハウジング３２の底部に貯留させた消臭用溶剤の中に位置するとともに、前記吸気口３３を閉鎖する配置とされている。
【０００７】
そして、この構成において、ハウジング３２内に消臭用溶剤を貯留させると、その消臭用溶剤は気化シート３６に浸透していき、これにより気化シート３６の全体が消臭用溶剤を含んだ状態になるとともに、気化シート３６に浸透した消臭用溶剤は気化してハウジング３２内が溶剤の雰囲気となる。
【０００８】
そうすると、この状態で前記ファン３５を駆動すると、吸気口３３、及び気化シート３６を介して外部の空気がハウジング３２内に取り込まれるとともに、気化シート３６を通過する際に消臭用溶剤により消臭され、ハウジング３２内の溶剤の雰囲気の中を、排気口３４に向かって上昇し、その後は、消臭された空気が排気口３４から排気される。また、ハウジング３２内の溶剤の雰囲気の中を空気が通過することで、より確実に消臭された空気を排気することが可能となる。
【０００９】
従って、従来の消臭装置を用いることにより、面倒な工事等を行うことなく、臭いを含んだ空気の消臭を行うことができるという利点がある。
【００１０】
また、図８は、図７に示した消臭装置と同様に気化式とした消臭装置の他の形態であり、この図８に示した形態の消臭装置４１では、下部ケース４２とこの下部ケース４２の上部に装備した上部ケース４３とを有しており、上部ケース４３内は、底部に水槽４７が配設されるとともに上部にはファン４９が備えられており、更に、水槽４７内の周囲には、ラウンド状とした気化シート４８が配設されている。
【００１１】
また、上部ケース４３は、側壁に吸気口５０が形成され、上部には排気口５１が形成されており、これにより、ファン４９を駆動することで、吸気口５０より外気を取り入れるとともに、この取り入れた外気を排気口５１より排気可能としている。
【００１２】
一方、下部ケース４２内には、消臭用溶剤を蓄えた溶剤タンク４４と、この溶剤タンク４４内の消臭用溶剤を前記水槽４７に供給するためのポンプ４５、及び電源等の電装部品４６が備えられている。
【００１３】
そしてこの構成において、前記ポンプ４５を駆動して水槽４７内に消臭用溶剤を供給すると、水槽４７内の消臭用溶剤は気化シート４８に浸透していき、これにより気化シート４８の全体が消臭用溶剤を含んだ状態になるとともに、気化シート４８に浸透した消臭用溶剤が気化して、上部ケース４３内が溶剤の雰囲気となる。
【００１４】
従って、この状態で、前記ファン４９を駆動すると、吸気口５０を介して外部の空気が上部ケース４３内に取り込まれるとともに、この取り込まれた空気は、上部ケース４３内の溶剤の雰囲気の中で消臭されつつ排気口５１に向かって上昇し、その後は、消臭された空気が排気口５１から排気され、これにより、面倒な工事等を行うことなく、臭いを含んだ空気の消臭を行うことができる。
【特許文献１】特開２０００−６０９５３号公報
【発明の開示】
【発明が解決しようとする課題】
【００１５】
ところで、前述したように、気化式の消臭装置では、ハウジング等の内部が気化した溶剤の雰囲気になっているため、取り込んだ空気をより確実に消臭するためには、内部に取り込んだ空気をできるだけこの溶剤の雰囲気内に留めることが望ましい。
【００１６】
しかしながら、その一方、ハウジング内の空気は、常に、ファンの作用により排気口側へ引かれているために、溶剤の雰囲気内に長く留めておくことができない、という問題点が考えられる。
【００１７】
そこで、本発明は、消臭用溶剤が浸透したシートを用いて外気を消臭する気化式の消臭装置において、内部に取り込んだ空気を長時間に亘り装置内部に留めることで、より確実に消臭可能とする消臭装置を提供することを課題としている。
【課題を解決するための手段】
【００１８】
本発明における消臭装置は、
隔壁によって内部空間が上部空間と下部空間とに分断されるとともに、天井部には排気口が形成され、下部空間の側壁には吸気口が形成された筐体と、
前記隔壁に形成した通気孔を閉鎖する配置で前記筐体の上部空間内に配設された複数個のファンと、
該筐体の上部空間内に配設された複数個のファンと、
前記筐体の下部空間に挿装された、内部に消臭用溶剤が貯留される水槽と、
下方部分が前記水槽の内部に位置するとともに、前記吸気口を閉鎖する配置で、前記水槽内に配設された気化シートと、を具備した消臭装置であって、
前記ファンは、少なくとも１個を、排気面を斜め上方に向けたことを特徴としている。
【発明の効果】
【００１９】
本発明の消臭装置では、複数個のファンを有する気化式の消臭装置において、ファンのうちの少なくとも１個を、その排気面を斜め上方に向けて傾けて配置したことを特徴としている。そのため、排気面を斜め上方に向けたファンから排気された空気は、排気面を上方に向けたファンから排気された空気に衝突し、これにより、双方のファンから排気された空気は筐体内で撹拌され、それにより、筐体内に取り込んだ外気を、長時間に亘り溶剤の雰囲気内に留めておくことができ、より確実に消臭することが可能である。
【発明を実施するための最良の形態】
【００２０】
本発明の消臭装置では筐体を有しており、この筐体の内部は、隔壁によって上部空間と下部空間とに分断され、前記隔壁には通気孔が形成されている。
【００２１】
また、筐体の天井部には排気口が形成され、筐体の下部空間の側壁には吸気口が形成され、更に、筐体の上部空間内には、前記通気孔を閉鎖する配置で、２個のファンが配設されている。そして、ファンを駆動することで、吸気口から筐体内に外気を取り込み、この取り込んだ空気を、筐体内で消臭した後に排気口から排気することとしている。
【００２２】
次に、前記筐体の下部空間には、内部に消臭用溶剤が貯留される水槽が挿装され、この水槽内には、下方部分が水槽の内部に位置し、なおかつ、前記吸気口を閉鎖する配置とした気化シートが、配設されている。
【００２３】
そして、前記筐体の上部空間内に配設したファンは、一方は排気面を上方に向けており、他方は、排気面を、排気面を上方に向けた一方のファンの上方側に向けて傾けて配置している。従って、本発明では、他方のファンから排気された空気は、一方のファンから排気された空気に衝突し、これにより、双方のファンから排気された空気は、装置内で撹拌されるため、長時間に亘り、上部空間内に滞留することが可能である。
【００２４】
ここで、前記水槽を、前記筐体内に挿抜自在に挿装して、引出式にするとよく、これにより、水槽内への消臭用溶剤の補充を容易にすることができる。
【００２５】
また、前記吸気口の、すべて、あるいはいずれかを閉鎖可能なスライド板を、前記筐体の内部にスライド自在に配設するとよく、これにより、筐体内に取り込む空気量を調整することが可能である。
【実施例１】
【００２６】
本発明の消臭装置の実施例について図面を参照して説明すると、図１は、本実施例の消臭装置の外観を示す概略斜視図であり、また、図２は本実施例の消臭装置の構造を説明するための拡大一部縦断正面図である。更に、図３は、本実施例の消臭装置の構造を図２におけるＢ−Ｂ線で縦断した構造を拡大して示す断面図、図４は本実施例の消臭装置を図２におけるＡ−Ａ線で横断した構造を拡大して示す断面図である。
【００２７】
そして、図において１が本実施例の消臭装置であり、本実施例の消臭装置１は筐体を有している。即ち、図において２が筐体であり、本実施例において前記筐体２は、天井部、床面、左右側壁、及び前後側壁を有する中空の箱状としており、筐体２の内部空間２０１は、高さ方向の中間部分近傍に配設した隔壁３によって、上部空間２０２と下部空間２０３に分断されている。
【００２８】
また、天井部には、図１に示されるような、複数の細長の排気口２０５が形成されており、下部空間２０３における前後側壁の双方、及び左右側壁の一方には、同じく複数の細長の吸気口２０４が形成されている。
【００２９】
次に、前記隔壁３には、２箇所に、通気孔３０１が形成されており、この通気孔３０１のそれぞれを閉鎖する配置で、前記上部空間２０２には、ファン４が配設されている。
【００３０】
従って、ファン４を駆動することで、ファン４の吸引力によって、前記吸気口２０４を介して外部の空気を筐体２の内部に取り込むとともに、排気口２０５を介して、筐体２の内部に取り入れた空気を排気することが可能である。
【００３１】
ここで、図２に示されるように、本実施例においては、ファンの一方４ａは、その排気面を上方に向けて配置されており、これにより、通気孔３０１を介して下部空間２０３から吸い上げた空気を上方に排気可能としている。そして他方のファン４ｂは、その排気面を前記一方のファン４ａの上方側に向けて配置されており、これにより、他方のファン４ｂでは、通気孔３０１を介して下部空間２０３から吸い上げた空気を、前記一方のファン４ａの上方に排気可能としている。
【００３２】
従って、本実施例の消臭装置１では、他方のファン４ｂから排気された空気は一方のファン４ａから排気された空気に衝突し、それによって、ファン４ａ、４ｂの双方から排気される空気は、上部空間内で渦巻き状に撹拌され、これにより、吸い上げた空気を単に上方へ排気する場合と比較して、ファンから排気される空気を、上部空間２０２内に長時間留めておくことが可能である。
【００３３】
次に、図において５は水槽である。即ち、本実施例の消臭装置１では、上部を開放とした箱状の水槽５を有しており、この水槽５は、引き出し可能にして前記下部空間２０３内に挿装されており、その内部に消臭用溶剤を貯留することとしている。
【００３４】
ここで、前記水槽５について説明すると、前記下部空間２０３における左右側壁の他方、即ち、吸気口２０４を形成していない側の側壁には、挿入孔２０６が形成されている。
【００３５】
一方、前記水槽５は、上部を開放とした箱状の水槽本体５０１を有しており、この水槽本体５０１の高さ寸法は前記挿入孔２０６の高さ寸法よりも短い寸法としている。
【００３６】
そして、この水槽本体５０１の側壁の一方には蓋部５０２を連設しており、この蓋部５０２は、前記挿入孔２０６を閉鎖可能な寸法としている。そしてこれにより、前記挿入孔２０６を介して前記下部空間２０３内に水槽本体５０１を挿装した際に、前記蓋部５０２によって、挿入孔２０６を閉鎖可能としている。
【００３７】
また、前記蓋部５０３には、吸気口５０３を形成しており、これにより、蓋部５０２の吸気口５０３を介して、外気を下部空間２０３に取り入れることを可能としている。なお、図において５０４は、水槽５の引き出しの際に指等を差し込むための孔である。
【００３８】
次に、前記水槽５内には、水槽５内の消臭用溶剤を浸み込ませて気化させるとともに、これを通過した空気を消臭するための気化シート６が挿装されている。即ち、図において、気化シート６は、前記水槽５の高さ寸法よりも高い寸法としており、図４に示されるように、水槽５の内壁に沿って、ラウンド状に、水槽５の内部に挿装している。
【００３９】
また、本実施例において前記気化シート６は、ハニカム状あるいは金網状にした紙製のシートで構成しており、下端部を前記水槽５の底部に載置した際に、前記吸気口２０４、５０３を筐体２の内側から閉鎖可能な高さ寸法としている。
【００４０】
従って、水槽５内に消臭用溶剤を貯留すると、消臭用溶剤が気化シート６に浸み込み、気化シート６の全体が消臭用溶剤により湿った状態になり、これにより、吸気口２０４から下部空間２０３内に取り入れた空気は、下部空間２０３内に取り込まれる際に気化シート６を通過し、気化シート６に浸み込んだ消臭用溶剤によって消臭される。
【００４１】
また、前記気化シート６に浸透した消臭用溶剤は、気化シート６に浸み込むとともに気化していき、それによって、筐体２の内部空間２０１は溶剤の雰囲気になる。そのため、下部空間２０３内に取り込まれた空気は、ファン４ａ、４ｂにより上部空間２０２に吸い上げられて排気口２０５から排気される過程で、この溶剤の雰囲気の中を通過するので、これによっても消臭することが可能となる。
【００４２】
なお、図において７はガイド枠である。即ち、本実施例においては、水槽５内に気化シート６を配設した際における気化シート６の内径とほぼ同じ外径の枠状のガイド枠７を水槽５内に配設しており、これにより、気化シート６が水槽５の内側に倒れ込まないようにしている。
【００４３】
また、図において８は押さえ部材である。即ち、本実施例においては、気化シート６の上部を押さえるための無端状の押さえ部材８を有し、これにより、気化シート６を固定するとともに、気化シート６を通過しない空気が上部空間２０２に上昇することを防止している。
【００４４】
即ち、本実施例において前記押さえ部材８は、無端状の枠体状としており、外径は、前記下部空間２０３の内径とほぼ同様としており、内径は、前記水槽５内にラウンド状に配設した気化シート６の上端の内径よりも僅かに小さい寸法とし、更に内径の縁は下方に延長させて、これにより、気化シート６を上方から抑えるとともに気化シート６の内周側上部を内側から支えて、気化シート６の位置を固定可能としている。
【００４５】
また、前記押さえ部材８は、外径を下部空間２０３の内径とほぼ同様としているため、吸気口２０４、５０３から取り入れた空気が、気化シート６を通過せずに、下部空間２０３の内壁と気化シート６との隙間から上方に上昇してしまうことを防止可能である。なお、水槽５、ガイド枠７、気化シート６、押さえ部材８の関係を分解して示した分解図が図５である。
【００４６】
次に、図３において９は、下部空間２０３内へ取り入れる空気の量を調整するためのスライド板であり、図６はスライド板９の正面図である。即ち、本実施例の消臭装置１では、長板状のスライド板９を有しており、このスライド板９には、下部空間２０３の長手側の側壁に形成した吸気口２０４と同じ寸法の吸気口９０１を、下部空間２０３の長手側の側壁に形成した吸気口２０４と同じピッチで同じ個数形成しており、このスライド板９を、スライドガイド１０を介して、下部空間２０３の長手側の側壁に形成した吸気口２０４の裏側にスライド自在にして配設している。そしてそれにより、スライド板９をスライドすることで、前記吸気口２０４の全閉、全開、あるいは一部開放を可能にし、下部空間２０３内に取り入れる空気量を調節可能としている。従って、本実施例の消臭装置１では、外気の汚れ具合に応じて、筐体２内に取り込んで消臭する処理量を調節することが可能である。
【００４７】
なお、本実施例において前記筐体２は、長手方向の寸法を約５００ｍｍ、幅方向寸法を焼く２５０ｍｍ、高さ方向寸法を約４００ｍｍとしているが、この寸法は特に限定されない。
【００４８】
次に、このように構成される本実施例の消臭装置の作用について説明すると、
本実施例の消臭装置１を使用して室内等の空気の消臭を行う場合には、前記水槽５内に消臭用溶剤を貯留させるとともに、気化シート６を、水槽５の内壁に沿わせるとともに水槽５の内壁とガイド枠７との間に挿装される形態で、ラウンド状に水槽５内に挿装し、それによって、気化シート６によって前記吸気口２０４、５０３を閉鎖し、更に押さえ部材８を気化シート６の上部に載置し、この状態の水槽５を、筐体２の挿入孔２０６を介して下部空間２０３内に挿入し、前記ファン４を駆動する。
【００４９】
そうすると、汚れた外気は、吸気口２０４、５０３を介して、気化シート６を通過しながら、下部空間２０３内に取り込まれ、この下部空間２０３内に取り込まれた空気は、ファン４により、通気孔３０１を介して吸い上げられるとともに上部空間２０２内に排気され、更に排気口２０５から外部へ排気される。
【００５０】
そしてその過程で、気化シート６を通過した外気は、気化シート６に浸み込んだ消臭用溶剤によって消臭される。
【００５１】
また、気化シート６に浸透した消臭用溶剤は、気化シート６に浸み込むとともに気化していき、それによって、内部空間２０１内は溶剤の雰囲気になっているため、下部空間２０３内に取り込まれた空気は、ファン４によって上部空間２０２に吸い上げられて排気口２０５から外部に排気される過程で、溶剤の雰囲気の中を通過するために、これによっても空気の消臭がなされる。
【００５２】
そしてこのとき、本実施例の消臭装置１では、隔壁３に形成した通気孔３０１を閉鎖する配置で、上部空間２０２に２個のファン４ａ、４ｂを配設しているとともに、ファン４ａの一方は排気面を上方に向け、他方のファン４ｂは排気面を前記一方のファン４ａの上方側に向け、他方のファン４ｂから排気された空気を一方のファン４ａから排気された空気に衝突させることとしているため、ファン４ａ、４ｂの双方から排気される空気は、上部空間内で渦巻き状に撹拌され、それによって、吸い上げた空気を単に上方へ排気する場合と比較して、ファンから排気される空気を、溶剤の雰囲気となっている上部空間２０２内に長時間留めておくことが可能であり、これにより、より確実に汚れた外気を消臭することが可能である。
【００５３】
このように、本実施例の消臭装置では、ファン４ａの一方は排気面を上方に向け、他方のファン４ｂは排気面を前記一方のファン４ａの上方側に向け、これにより、ファン４ａ、４ｂの双方から排気される空気を上部空間内で渦巻き状に撹拌し、ファンから排気される空気を溶剤の雰囲気となっている上部空間２０２内に長時間留めておくことを可能としているために、より確実に汚れた外気を消臭することが可能である。
【００５４】
また、本実施例の消臭装置では、消臭用溶剤を貯留するための水槽を引き出し式にしているため、消臭用溶剤の補充作業が極めて容易である。
【００５５】
更に、本実施例の消臭装置では、スライド板９を用いて、吸気口２０４の全閉、全開、あるいは一部開放を可能にし、下部空間２０３内に取り入れる空気量を調節可能としているため、外気の汚れ具合に応じて処理量を調節することが可能である。但し、このスライド板は必ずしも必要ではなく、これを備えない形態としてもよい。
【産業上の利用可能性】
【００５６】
本発明の消臭装置では、消臭用溶剤の雰囲気の中に空気が滞留する時間を長くすることができ、それにより効果的な消臭を可能としているため、気化式の消臭装置の全般に適用可能である。
【図面の簡単な説明】
【００５７】
【図１】本発明の消臭装置の実施例の斜視図である。
【図２】本発明の消臭装置の実施例の構造を説明するための拡大一部縦断正面図である。
【図３】本発明の消臭装置の実施例を図２におけるＢ−Ｂ線で縦断した構造を拡大して示す断面図である。
【図４】本発明の消臭装置の実施例を図２におけるＡ−Ａ線で横断した構造を拡大して示す断面図である。
【図５】本発明の消臭装置の実施例における水槽、ガイド枠、気化シート、押さえ部材の関係を分解して示した分解図である。
【図６】本発明の消臭装置の実施例におけるスライド板の正面図である。
【図７】従来の消臭装置を説明するための図である。
【図８】従来の消臭装置の他の形態を説明するための図である。
【符号の説明】
【００５８】
１    消臭装置
２    筐体
２０１    内部空間
２０２    上部空間
２０３    下部空間
２０４    吸気口
２０５    排気口
２０６    挿入孔
３    隔壁
３０１    通気孔
４    ファン
５    水槽
６    気化シート
７    ガイド枠
８    押さえ部材
９    スライド板
９０１    吸気孔
１０    スライドガイド
【図１】
2010148675.tif 000003
【図２】
2010148675.tif 000004
【図３】
2010148675.tif 000005
【図４】
2010148675.tif 000006
【図５】
2010148675.tif 000007
【図６】
2010148675.tif 000008
【図７】
2010148675.tif 000009
【図８】
2010148675.tif 000010